(57)【要約】【課題】撮影で得た画像に対する正常なホワイトバランス調整を行なうことができなかった状態を即時ユーザに認識させて、新たな撮影に移行する。【解決手段】画像の画素毎の色信号からグレー成分を抽出するグレー成分抽出回路４１と、抽出したグレー成分を積分する積分回路４２と、グレー成分を抽出した画素数をカウントする個数カウンタ４３と、積分回路４２の積分値と個数カウンタ４３のカウント値からホワイトバランス値を演算するゲイン設定演算回路４４と、演算したホワイトバランス値を記憶するメモリ４５と、演算したホワイトバランス値を出力して画像の色画素毎のゲイン調整によりホワイトバランスを調整させるゲイン設定出力回路４６と、個数カウンタ４３のカウント値が所定値以下か否かを検出する閾値設定回路５１と、閾値設定回路５１の検出に応じてその旨を表示データ処理回路（２７）を介して表示装置（２８）で報知させるシステム制御処理回路（２６）とを備える。【選択図】　　図２
2004080158.tif 000002
【特許請求の範囲】
【請求項１】
撮影画像の画素毎の色信号からグレー成分値を抽出するグレー抽出手段と、
このグレー抽出手段で抽出したグレー成分値を色成分毎に積分する積分手段と、
上記グレー抽出手段でグレー成分値が抽出された画素数をカウントするカウント手段と、
上記積分手段で得た色成分毎の積分値と上記カウント手段で得たカウント値とによりホワイトバランス値を演算する演算手段と、
この演算手段で得たホワイトバランス値を記憶する記憶手段と、
上記演算手段で得たホワイトバランス値を用いて撮影画像の色画素毎のゲイン調整を行ない、該画像のホワイトバランスを調整するホワイトバランス調整手段と、
上記カウント手段で得たカウント値が所定値以下かどうかを検出する検出手段と、
この検出手段でカウント値が所定値以下であることを検出した際に、その旨を報知する報知手段と
を具備したことを特徴とする撮像装置。
【請求項２】
上記報知手段は、撮影画像をモニタ表示するモニタ表示部にてメッセージ表示を行なうことを特徴とする請求項１記載の撮像装置。
【請求項３】
上記ホワイトバランス調整手段は、上記報知手段での報知を行なった際に、上記記憶手段に記憶している、演算手段で得たホワイトバランス値を用いてホワイトバランス調整を実行することを特徴とする請求項１記載の撮像装置。
【請求項４】
上記記憶手段は、上記演算手段で得たホワイトバランス値の他にも予め設定されたホワイトバランス値をあわせて記憶し、
上記報知手段での報知を行なった際に、上記記憶手段に記憶している、演算手段で得たホワイトバランス値及び予め設定されたホワイトバランス値の中から一つを選択する選択手段をさらに具備し、
上記ホワイトバランス調整手段は、この選択手段で選択したホワイトバランス値を用いてホワイトバランス調整を実行する
ことを特徴とする請求項１記載の撮像装置。
【請求項５】
撮影画像の画素毎の色信号からグレー成分値を抽出するグレー抽出工程と、
このグレー抽出工程で抽出したグレー成分値を色成分毎に積分する積分工程と、
上記グレー抽出工程でグレー成分値が抽出された画素数をカウントするカウント工程と、
上記積分工程で得た色成分毎の積分値と上記カウント工程で得たカウント値とによりホワイトバランス値を演算する演算工程と、
この演算工程で得たホワイトバランス値を記憶する記憶工程と、
上記演算工程で得たホワイトバランス値を用いて撮影画像の色画素毎のゲイン調整を行ない、該画像のホワイトバランスを調整するホワイトバランス調整工程と、
上記カウント工程で得たカウント値が所定値以下かどうかを検出する検出工程と、
この検出工程でカウント値が所定値以下であることを検出した際に、その旨を報知する報知工程と
を有したことを特徴とするホワイトバランス制御方法。
【発明の詳細な説明】
【０００１】
【発明の属する技術分野】
本発明は、固体撮像素子を備えたデジタルカメラ等に好適な撮像装置及びホワイトバランス制御方法に関する。
【０００２】
【従来の技術】
パーソナルコンピュータが一般の家庭内にまで普及するのにつれて、画像を電子データとして取得し、メモリカードに記録してパーソナルコンピュータにも取込むことが可能なデジタルスチルカメラが広く手軽に取扱われるようになっている。
【０００３】
図４は、この種のデジタルスチルカメラの基本的な回路構成を示すものである。同図で、被写体像は光学レンズ１１、絞り１２を介してＣＣＤ１３の例えばベイヤー配列（ＲＧＢ）のカラーフィルタを配した撮像面上に結像される。
【０００４】
このＣＣＤ１３は、タイミング信号発生器（ＴＧ）１４からの信号により駆動され、各色画素の蓄積電荷レベルに応じた画像信号を出力するもので、出力された画像信号はＣＤＳ１５に送られる。
【０００５】
ＣＤＳ１５は、ＣＣＤ１３の駆動に同期した上記タイミング信号発生器１４からの信号に基づいてＣＣＤ１３の画像出力をサンプリングしてＡＧＣ増幅回路１６に送出する。
【０００６】
ＡＧＣ増幅回路１６は、ＣＤＳ１５でサンプリングした画像信号に所定のゲインを乗じて次段のＡ／Ｄ変換器１７に出力するもので、Ａ／Ｄ変換器１７では、アナログ値である画像信号を例えば各画素単位で１０ビットのデジタルデータに変換してデジタルクランプ回路１８へ出力する。
【０００７】
デジタルクランプ回路１８は、画像データに対して黒レベルのクランプを行なった上でＲＧＢ重み付け回路１９へ出力し、ＲＧＢ重み付け回路１９はＲＧＢの各画素毎の重み付けを行なうことでホワイトバランス調整を実行し、ガンマ補正処理回路２０へ出力する。
【０００８】
ガンマ補正処理回路２０は、ＲＧＢ重み付け回路１９から与えられる画像データに所定のガンマカーブの係数を乗じ、その画像データをメモリバスインターフェイス２１を介してＤＭＡ転送によりメモリ２２にベイヤー画素データの形で保存させる。
【０００９】
このＣＣＤ１３に保存されるベイヤー画素データの形で保存される画像データが例えば８画素×８画素、あるいは１６画素×１６画素のような所定の画像処理ブロック単位以上になった時点でこれら画像データは順次ＤＭＡ転送によりメモリ２２から読出され、メモリバスインターフェイス２１を介してベイヤー入力バッファ２３に転送される。
【００１０】
このベイヤー入力バッファ２３に転送された画像処理ブロック単位の画像データは、Ｙ生成回路２４及びＣ生成回路２５に送出される。
【００１１】
Ｙ生成回路２４は、送られてきた各画像データに対してマトリックス演算を行なうことで画像処理ブロック単位のＹ（輝度）成分の画像データを生成し、生成した画像データをＡＥ制御処理回路３０へ送出する一方、上記メモリバスインターフェイス２１を介して上記メモリ２２へ転送して保存させる。
【００１２】
同様に、Ｃ生成回路２５は、送られてきた各画像データに対してマトリックス演算を行なうことで画像処理ブロック単位のＣｂ，Ｃｒ（色差）成分の画像データを生成し、生成した画像データをＡＷＢ制御処理回路３１へ送出する一方、上記メモリバスインターフェイス２１を介して上記メモリ２２へ転送して保存させる。
【００１３】
このＣＣＤ１３に保存された輝度色差系の画像データは、メモリバスインターフェイス２１を介してシステム制御処理回路２６により制御される表示データ処理回路２７へ読出され、この表示データ処理回路２７で読出された画像データから表示データが作成されて、カメラ本体の背面に設けられた液晶表示パネルでなる表示装置２８にてモニタ表示される。
【００１４】
また、この表示装置２８には、モニタ表示する撮影画像以外にも、ユーザ補助情報としてさまざまな情報をシステム制御処理回路２６の制御の下に表示させることができる。
【００１５】
システム制御処理回路２６は、ユーザのキー操作に対応してキー入力装置２９から入力される各種キー操作信号によりこのデジタルスチルカメラ全体の動作制御を行なうものであり、上記メモリバスインターフェイス２１、表示データ処理回路２７の他に、ＡＥ制御処理回路３０、ＡＷＢ制御処理回路３１へも制御信号を出力する。
【００１６】
ＡＥ制御処理回路３０は、Ｙ生成回路２４で得た輝度成分の画像データの信号レベルに応じて、上記絞り１２での絞り値を可変制御する絞り制御回路３２に制御信号を与えると共に、上記タイミング信号発生器１４によるＣＣＤ１３及びＣＤＳ１５への駆動タイミングを制御して露光時間を可変させ、さらにＡＧＣ増幅回路１６でのゲインを制御する。
【００１７】
すなわちＡＥ制御処理回路３０は、一般的に被写体像の輝度レベルが小さい（暗い）場合には絞り１２を最大に開放し、露光時間を許容される限り長くし、さらにその状態でも充分な出力画像レベル（低域輝度信号の積分レベル）が得られない場合にはＡＧＣ増幅回路１６でのゲインを増加させるが、その詳細な動作はそのときに設定されている露光モードの状態等に応じてシステム制御処理回路２６によりコントロールされる。
【００１８】
一方、ＡＷＢ制御処理回路３１は、Ｃ生成回路２５で得た色差成分の画像データによりホワイトバランスの演算を実行し、その時点で設定されているホワイトバランスモードに応じてシステム制御処理回路２６から指示される内容に基づき、上記ＲＧＢ重み付け回路１９でのＲＧＢ各画素成分毎の重み付け制御を行なう。
【００１９】
図５は、このＡＷＢ制御処理回路３１の詳細な回路構成を示すもので、Ｃ生成回路２５からの色差系の画像信号Ｃｂ，Ｃｒはグレー成分抽出回路４１に入力される。
【００２０】
このグレー成分抽出回路４１は、それぞれ例えば１０ビット（「０」〜「１０２３」）で与えられる色差信号Ｃｂ，Ｃｒの組合わせにより各画素毎にその値が図６に示すようなグレーゾーンＧｙＺに属するかどうかを判断し、属すると判断した場合にはその大きさを表わす信号を積分回路４２に送出すると同時に、個数カウンタ４３にカウントアップ信号を送出する。
【００２１】
積分回路４２は、グレー成分抽出回路４１から送られてくる一連のグレー部分の画素の各色成分の大きさを表わす信号を積分してその結果をゲイン設定演算回路４４へ出力する。
【００２２】
個数カウンタ４３は、グレー成分抽出回路４１からのカウントアップ信号に応じたカウント動作を実行し、そのカウント値を上記のようにゲイン設定演算回路４４へ出力する。
【００２３】
ゲイン設定演算回路４４は、１画面分の色差信号に対応して得られる上記積分回路４２からの積分結果と上記個数カウンタ４３のカウント値によりゲイン設定値を演算し、メモリ４５に書込む。
【００２４】
このメモリ４５内にはまた、その時点でゲイン設定演算回路４４により書込まれたゲイン設定値の他に、このデジタルスチルカメラの仕様に応じた例えば太陽光、日陰、蛍光灯、白熱灯等の各光源の色温度に対応したゲイン設定値が予め記憶されている。
【００２５】
ゲイン設定演算回路４４は、このカメラの設定状態、すなわちユーザのキー入力操作によるホワイトバランスの選択状態に対応して上記システム制御処理回路２６の制御の下に、メモリ４５に記憶した演算ゲイン、太陽光ゲイン、日陰ゲイン、蛍光灯ゲイン、白熱灯ゲインの中から一つを選択してゲイン設定出力回路４６へ送出する。
【００２６】
ゲイン設定出力回路４６は、このゲイン設定演算回路４４から送られてきたゲイン設定値を上記ＲＧＢ重み付け回路１９に出力して、ホワイトバランス調整を実行させる。
【００２７】
【発明が解決しようとする課題】
上述した如く上記ＡＷＢ制御処理回路３１では、グレー成分抽出回路４１が１画面分の画像データ中から上記図５で示したグレーゾーンＧｙＺに属するような色差データの値を有する画素を充分な数だけ抽出することを前提として、自動ホワイトバランス調整を行なうものとしている。
【００２８】
したがって、１画面分の画像データ中から、グレーに相当する色差信号をまったく得ることができないか、または得ることができたとしてもその数が非常に少ないものであった場合には、上記個数カウンタ４３のカウント値は「０」または非常に小さな値となり、自動ホワイトバランス調整を行なうための正常なゲート設定値を算出することができない。
【００２９】
また、上記のような正常なゲート設定値を算出することができない状態で撮影を行なった場合に、その旨をユーザにリアルタイムに報知する手段がなく、正常な画像を得ることができなかったことをユーザに認識させることができないので、結果として重要なシャッタチャンスを逃してしまうことにもなり得る。
【００３０】
本発明は上記のような実情に鑑みてなされたもので、その目的とするところは、撮影で得た画像に対する正常なホワイトバランス調整を行なうことができなかった状態を即時ユーザに認識させて、新たな撮影に移行することが可能な撮像装置及びホワイトバランス制御方法を提供することにある。
【００３１】
【課題を解決するための手段】
請求項１記載の発明は、撮影画像の画素毎の色信号からグレー成分値を抽出するグレー抽出手段と、このグレー抽出手段で抽出したグレー成分値を色成分毎に積分する積分手段と、上記グレー抽出手段でグレー成分値が抽出された画素数をカウントするカウント手段と、上記積分手段で得た色成分毎の積分値と上記カウント手段で得たカウント値とによりホワイトバランス値を演算する演算手段と、この演算手段で得たホワイトバランス値を記憶する記憶手段と、上記演算手段で得たホワイトバランス値を用いて撮影画像の色画素毎のゲイン調整を行ない、該画像のホワイトバランスを調整するホワイトバランス調整手段と、上記カウント手段で得たカウント値が所定値以下かどうかを検出する検出手段と、この検出手段でカウント値が所定値以下であることを検出した際に、その旨を報知する報知手段とを具備したことを特徴とする。
【００３２】
このような構成とすれば、撮影で得た画像に対する正常なホワイトバランス調整を行なうことができなかった状態を即時ユーザに報知することで認識させて、速やかに新たな撮影に移行することが可能となる。
【００３３】
請求項２記載の発明は、上記請求項１記載の発明において、上記報知手段は、撮影画像をモニタ表示するモニタ表示部にてメッセージ表示を行なうことを特徴とする。
【００３４】
このような構成とすれば、上記請求項１記載の発明の作用に加えて、インジケータの点灯表示やブザー音等による報知ではなく、正常なホワイトバランス調整を行なうことができなかった状態をモニタ表示部で例えば実際の撮影画像に重畳してメッセージ表示して報知することにより、ユーザに現状を正確に認識してもらうことができる。
【００３５】
請求項３記載の発明は、上記請求項１記載の発明において、上記ホワイトバランス調整手段は、上記報知手段での報知を行なった際に、上記記憶手段に記憶している、演算手段で得たホワイトバランス値を用いてホワイトバランス調整を実行することを特徴とする。
【００３６】
このような構成とすれば、上記請求項１記載の発明の作用に加えて、その前の時点ですでに取得している正常なホワイトバランス値を用いてのホワイトバランス調整に即時移行できる。
【００３７】
請求項４記載の発明は、上記請求項１記載の発明において、上記記憶手段は、上記演算手段で得たホワイトバランス値の他にも予め設定されたホワイトバランス値をあわせて記憶し、上記報知手段での報知を行なった際に、上記記憶手段に記憶している、演算手段で得たホワイトバランス値及び予め設定されたホワイトバランス値の中から一つを選択する選択手段をさらに具備し、上記ホワイトバランス調整手段は、この選択手段で選択したホワイトバランス値を用いてホワイトバランス調整を実行することを特徴とする。
【００３８】
このような構成とすれば、上記請求項１記載の発明の作用に加えて、その前の時点ですでに取得している正常なホワイトバランス値と、予め設定された各種光源に対応したホワイトバランス値の中から一つをユーザが選択することで、その選択したホワイトバランス値を用いてのホワイトバランス調整に即時移行できる。
【００３９】
請求項５記載の発明は、撮影画像の画素毎の色信号からグレー成分値を抽出するグレー抽出工程と、このグレー抽出工程で抽出したグレー成分値を色成分毎に積分する積分工程と、上記グレー抽出工程でグレー成分値が抽出された画素数をカウントするカウント工程と、上記積分工程で得た色成分毎の積分値と上記カウント工程で得たカウント値とによりホワイトバランス値を演算する演算工程と、この演算工程で得たホワイトバランス値を記憶する記憶工程と、上記演算工程で得たホワイトバランス値を用いて撮影画像の色画素毎のゲイン調整を行ない、該画像のホワイトバランスを調整するホワイトバランス調整工程と、上記カウント工程で得たカウント値が所定値以下かどうかを検出する検出工程と、この検出工程でカウント値が所定値以下であることを検出した際に、その旨を報知する報知工程とを有したことを特徴とする。
【００４０】
このような方法とすれば、撮影で得た画像に対する正常なホワイトバランス調整を行なうことができなかった状態を即時ユーザに報知することで認識させて、速やかに新たな撮影に移行させることが可能となる。
【００４１】
【発明の実施の形態】
以下本発明をデジタルスチルカメラに適用した場合の実施の一形態について図面を参照して説明する。
【００４２】
図１はその回路構成を示すものであり、基本的には上記図４で示したものとほぼ同様であるので、同一部分には同一符号を付してその説明を省略する。
【００４３】
しかして、Ｙ生成回路２４から色差成分の画像データを入力するＡＷＢ制御処理回路３１′は、必要により直接システム制御処理回路２６に対して信号を送出して、その時点で算出したホワイトバランス値以外のホワイトバランス値のＲＧＢ重み付け回路１９への出力を促す。
【００４４】
図２は、上記ＡＷＢ制御処理回路３１′の詳細な回路構成を示すもので、基本的には上記図５に示した内容とほぼ同様であるので、同一部分には同一符号を付してその説明は省略する。
【００４５】
しかるに、個数カウンタ４３がカウントするカウント値はゲイン設定演算回路４４だけでなく閾値設定回路５１にも出力される。この閾値設定回路５１は、個数カウンタ４３のカウント値が予め設定されている閾値以下であるか否かの検出を行ない、該閾値以下であると検出した際に上述した如く上記システム制御処理回路２６へ検出信号を出力する。
【００４６】
次に上記実施の形態の動作について説明する。
【００４７】
図３は、主としてシステム制御処理回路２６とＡＷＢ制御処理回路３１′内でのホワイトバランス調整に関する処理内容を示すもので、その処理当初には画像の撮影が実行されるのを待機し（ステップＳ０１）、実行されたと判断した時点で、その撮影画像を構成する画素数のカウント値ｎをクリアして「０」にすると共に（ステップＳ０２）、個数カウンタ４３がカウントするグレー成分の画素数ｍも同様にクリアして「０」にする（ステップＳ０３）。
【００４８】
次いで１画素分の色差信号Ｃ（Ｃｂ，Ｃｒ）がＡＷＢ制御処理回路３１′に取込まれ（ステップＳ０４）、まず上記カウント値ｎを「＋１」更新設定したあとに（ステップＳ０５）、グレー成分抽出回路４１が上記色差信号からグレー成分を抽出することができたか否かを判断する（ステップＳ０６）。
【００４９】
抽出することができたと判断した場合にのみ、積分回路４２がその抽出結果に基づいて色成分毎の積分処理を実行して積分値をゲイン設定演算回路４４へ出力する一方（ステップＳ０７）、個数カウンタ４３がカウント値ｍを「＋１」更新設定する（ステップＳ０８）。
【００５０】
その後、カウント値ｎがその画像を構成する全画素数Ｎとなったか否かを判断することで、すべての画素の色差信号に対するグレー成分のカウント処理を終えたか否かを判断するもので（ステップＳ０９）、カウント値ｎが全画素数Ｎとなっていないと判断した場合には上記ステップＳ０４からの処理に戻る。
【００５１】
こうして、ステップＳ０４〜Ｓ０６，（Ｓ０７，Ｓ０８，）Ｓ０９の処理を繰返し実行することで、１画面分の画像を構成する全画素中の、グレー成分である画素の数ｍをカウントする。
【００５２】
そして、ステップＳ０９でカウント値ｎがその画像を構成する全画素数Ｎとなったと判断した時点で、次に閾値設定回路５１により個数カウンタ４３のカウント値ｍが予め設定されている閾値Ｍ以下であるか否かを判断する（ステップＳ１０）。
【００５３】
ここで、個数カウンタ４３のカウント値ｍが上記閾値Ｍより大きく、充分ホワイトバランス調整を行なうものができると判断した場合、閾値設定回路５１からシステム制御処理回路２６への信号は送出されず、ゲイン設定演算回路４４が積分回路４２の積分値と上記個数カウンタ４３のカウント値ｍとによりホワイトバランスを調整するためのゲイン設定値を演算し、メモリ４５に更新設定すると共に（ステップＳ１１）、この更新設定したゲイン設定値をゲイン設定出力回路４６により上記ＲＧＢ重み付け回路１９へ出力させ（ステップＳ１２）、以上で一連のホワイトバランス調整に係る処理を終了して、次の画像撮影に備えるべく上記ステップＳ０１からの処理に戻る。
【００５４】
また、上記ステップＳ１０で個数カウンタ４３のカウント値ｍが上記閾値Ｍ以下であり、ホワイトバランス調整を行なうほどのグレー成分の抽出ができなかったと判断した場合には、閾値設定回路５１からシステム制御処理回路２６への信号が送出される。
【００５５】
システム制御処理回路２６は、この閾値設定回路５１からの信号に対応して予め設定された表示データを表示データ処理回路２７に送出して表示装置２８で適正なホワイトバランスが得られないことを示すメッセージ、例えば
「画像のホワイトバランス調整ができません」
の文字列をモニタ画像に重畳して表示すると共に（ステップＳ１３）、その前の時点で上記メモリ４５に記憶している演算ホワイトバランス値と、予め固定的に設定されている太陽光、日陰、蛍光灯、白熱灯等のホワイトバランス値のいずれかを選択するような一覧画面を表示装置２８にて表示させ（ステップＳ１４）、それらのいずれかが選択操作されるのをキー入力装置２９からのキー操作に対応して待機する（ステップＳ１５）。
【００５６】
そして、ステップＳ１５でそれらのホワイトバランス値のいずれかが選択操作されると、ゲイン設定演算回路４４はその選択されたホワイトバランス値をメモリ４５から読出してゲイン設定出力回路４６により上記ＲＧＢ重み付け回路１９へ出力させ（ステップＳ１６）、以上で一連のホワイトバランス調整に係る処理を終了して、次の画像撮影に備えるべく上記ステップＳ０１からの処理に戻る。
【００５７】
このように、撮影で得た画像に対する正常なホワイトバランス調整を行なうことができなかった状態を即時ユーザに報知することで認識させて、速やかに新たな撮影に移行できる。
【００５８】
その場合、例えばインジケータの点灯表示やブザー音等による報知を行なうのではなく、正常なホワイトバランス調整を行なうことができなかった状態をモニタ表示を行なう表示装置２８で例えば実際の撮影画像に重畳して上述した如くメッセージ表示して報知することにより、ユーザに現状をより正確にわかり易く認識してもらうことができる。
【００５９】
加えて、撮影画像を得る毎にそのホワイトバランス値をメモリ４５に更新設定しておき、正常なホワイトバランス値が得られなかった場合には、その更新設定していたホワイトバランス値と、メモリ４５に予め固定的に設定記憶されている太陽光、日陰、蛍光灯、白熱灯等のホワイトバランス値とのいずれかから一つを任意に選択してホワイトバランス調整に活用することができるので、ユーザの意図に適したホワイトバランス値を選択することで、その選択したホワイトバランス値を用いてのホワイトバランス調整に即時移行できる。
【００６０】
なお、上記実施の形態は、ＣＣＤ１３が原色系ベイヤー配列のカラーフィルタを有し、その出力である原色信号ＲＧＢの各色成分の重み付けを異ならせることでホワイトバランス調整を行なうものとして説明したが、ＣＣＤ１３が補色系のカラーフィルタを有している場合も同様の考え方によりホワイトバランス値を調整することが可能であり、その場合にはＹ（イェロー），Ｍｇ（マゼンタ），Ｃｙ（シアン）の各色成分毎の重み付けを個々に可変設定することとなる。
【００６１】
また、上記実施の形態は、本発明をデジタルスチルカメラに適用した場合について説明したものであるが、本発明はデジタルスチルカメラに限らず、固体撮像素子を用いて撮影を行ない、そのホワイトバランスを調整できるような撮像装置であれば、アナログ／デジタル両方のビデオカメラや各種医療／工業用カメラ装置等にも同様に適用可能である。
【００６２】
その他、本発明は上記実施の形態に限らず、その要旨を逸脱しない範囲内で種々変形して実施することが可能であるものとする。
【００６３】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００６４】
【発明の効果】
請求項１記載の発明によれば、撮影で得た画像に対する正常なホワイトバランス調整を行なうことができなかった状態を即時ユーザに報知することで認識させて、速やかに新たな撮影に移行することが可能となる。
【００６５】
請求項２記載の発明によれば、上記請求項１記載の発明の効果に加えて、インジケータの点灯表示やブザー音等による報知ではなく、正常なホワイトバランス調整を行なうことができなかった状態をモニタ表示部で例えば実際の撮影画像に重畳してメッセージ表示して報知することにより、ユーザに現状を正確に認識してもらうことができる。
【００６６】
請求項３記載の発明によれば、上記請求項１記載の発明の効果に加えて、その前の時点ですでに取得している正常なホワイトバランス値を用いてのホワイトバランス調整に即時移行できる。
【００６７】
請求項４記載の発明によれば、上記請求項１記載の発明の効果に加えて、その前の時点ですでに取得している正常なホワイトバランス値と、予め設定された各種光源に対応したホワイトバランス値の中から一つをユーザが選択することで、その選択したホワイトバランス値を用いてのホワイトバランス調整に即時移行できる。
【００６８】
請求項５記載の発明によれば、撮影で得た画像に対する正常なホワイトバランス調整を行なうことができなかった状態を即時ユーザに報知することで認識させて、速やかに新たな撮影に移行させることが可能となる。
【図面の簡単な説明】
【図１】本発明の実施の一形態に係るデジタルスチルカメラの回路構成を示すブロック図。
【図２】図１の自動ホワイトバランス制御処理回路の内部回路構成を示すブロック図。
【図３】同実施の形態に係るホワイトバランス制御の処理内容を示すフローチャート。
【図４】一般的なデジタルスチルカメラの回路構成を示すブロック図。
【図５】図４の自動ホワイトバランス制御処理回路の内部回路構成を示すブロック図。
【図６】図５のグレー成分抽出回路が色差信号に対して実行するグレー抽出の内容を示す図。
【符号の説明】
１１…光学レンズ
１２…絞り
１３…ＣＣＤ
１４…タイミング信号発生器（ＴＧ）
１５…ＣＤＳ
１６…ＡＧＣ増幅回路
１７…Ａ／Ｄ変換器
１８…デジタルクランプ回路
１９…ＲＧＢ重み付け回路
２０…ガンマ補正処理回路
２１…メモリバスインターフェイス
２２…メモリ
２３…ベイヤー入力バッファ
２４…Ｙ生成回路
２５…Ｃ生成回路
２６…システム制御処理回路
２７…表示データ処理回路
２８…表示装置
２９…キー入力装置
３０…ＡＥ制御処理回路
３１，３１′…ＡＷＢ制御処理回路
３２…絞り制御回路
４１…グレー成分抽出回路
４２…積分回路
４３…個数カウンタ
４４…ゲイン設定演算回路
４５…メモリ
４６…ゲイン設定出力回路
５１…閾値設定回路
【図１】
2004080158.tif 000003
【図２】
2004080158.tif 000004
【図３】
2004080158.tif 000005
【図４】
2004080158.tif 000006
【図５】
2004080158.tif 000007
【図６】
2004080158.tif 000008